【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
デコーダがビデオ情報を含むマルチレイヤビットストリームを復号することが可能かどうかを決定する方法であって、前記デコーダが複数のシングルレイヤデコーダコアに基づいて実装され、
レイヤの少なくとも1つのセットへの前記ビットストリームのレイヤの少なくとも1つの割振りを特定するステップと、
レイヤの各セットが前記ビットストリームの前記復号のために前記デコーダコアの1つに排他的に割り当てられることが可能かどうかを検出するステップと、
前記デコーダのレベル定義に少なくとも一部基づいて、前記デコーダの最大ピクチャサイズを決定するステップと、
(i)レイヤの各セットが前記デコーダコアの1つに排他的に割り当てられることが可能かどうか、および(ii)前記決定された最大ピクチャサイズに少なくとも一部基づいて、前記デコーダが前記ビットストリームを復号することが可能かどうかを決定するステップと、
を備える、方法。
【請求項２】
前記レベル定義と関連付けられる規模を指定するステップであって、前記デコーダが前記ビットストリームを復号することが可能かどうかを決定するステップがさらに前記規模に少なくとも一部基づく、ステップをさらに備える、請求項1に記載の方法。
【請求項３】
前記ビットストリーム中のレイヤの解像度の合計を計算するステップをさらに備え、前記デコーダが前記ビットストリームを復号することが可能かどうかを前記決定するステップがさらに、解像度の前記計算された合計に少なくとも一部基づく、請求項2に記載の方法。
【請求項４】
前記デコーダが前記ビットストリームを復号することが可能かどうかを前記決定するステップがさらに、解像度の前記合計が、前記規模を前記デコーダの前記最大のピクチャサイズと乗算することにより得られる積以下であるかどうかに少なくとも一部基づく、請求項3に記載の方法。
【請求項５】
前記ビットストリームの最上位レイヤの解像度を決定するステップと、
前記ビットストリームの識別子リスト中のレイヤの数を決定するステップと、
前記識別子リスト中のレイヤの前記数を前記最上位レイヤの前記解像度と乗算することを介して、解像度の前記合計を計算するステップとをさらに備える、請求項3に記載の方法。
【請求項６】
前記ビットストリーム中のレイヤの数を決定することを介して、前記ビットストリームのレベル定義を決定するステップをさらに備える、請求項2に記載の方法。
【請求項７】
前記ビットストリームの前記レベル定義に少なくとも一部基づいて、前記ビットストリームの最大のピクチャサイズを決定するステップをさらに備える、請求項6に記載の方法。
【請求項８】
前記デコーダが前記ビットストリームを復号することが可能かどうかを前記決定するステップがさらに、前記ビットストリームの前記最大のピクチャサイズに少なくとも一部基づく、請求項7に記載の方法。
【請求項９】
前記ビットストリーム中のレイヤの前記数を前記ビットストリームの前記最大のピクチャサイズと乗算することにより得られる第1の積が、前記規模を前期デコーダの前記最大のピクチャサイズと乗算することにより得られる第2の積以下であるかどうかを決定するステップと、
前記第1の積が前記第2の積以下であるかどうかに少なくとも一部基づいて、前記デコーダが前記ビットストリームを復号することが可能かどうかを決定するステップとをさらに備える、請求項8に記載の方法。
【請求項１０】
各レイヤ、復号ピクチャバッファ(DPB)、またはサブDPBの少なくとも1つに対する、サイズに関連する制約を指定するステップをさらに備える、請求項2に記載の方法。
【請求項１１】
デコーダがビデオ情報を含むマルチレイヤビットストリームを復号することが可能かどうかを決定するための装置であって、前記デコーダが複数のシングルレイヤデコーダコアに基づいて実装され、
レイヤの少なくとも1つのセットへの前記ビットストリームのレイヤの少なくとも1つの割振りを特定し、
レイヤの各セットが前記ビットストリームの前記復号のために前記デコーダコアの1つに排他的に割り当てられることが可能かどうかを検出し、
前記デコーダのレベル定義に少なくとも一部基づいて、前記デコーダの最大ピクチャサイズを決定し、
(i)レイヤの各セットが前記デコーダコアの1つに排他的に割り当てられることが可能かどうか、および(ii)前記決定された最大ピクチャサイズに少なくとも一部基づいて、前記デコーダが前記ビットストリームを復号することが可能かどうかを決定する
ように構成される少なくとも1つのプロセッサを備える、装置。
【請求項１２】
前記少なくとも1つのプロセッサがさらに、
前記レベル定義と関連付けられる規模を指定し、
前記デコーダが前記ビットストリームを復号することが可能かどうかを決定するように構成され、
前記デコーダが前記ビットストリームを復号することが可能かどうかを決定するステップがさらに前記規模に少なくとも一部基づく、請求項11に記載の装置。
【請求項１３】
前記少なくとも1つのプロセッサがさらに、前記ビットストリーム中のレイヤの解像度の合計を計算するように構成され、前記デコーダが前記ビットストリームを復号することが可能かどうかを前記決定するステップがさらに、、解像度の前記計算された合計に少なくとも一部基づく、請求項12に記載の装置。
【請求項１４】
前記デコーダが前記ビットストリームを復号することが可能かどうかを前記決定するステップがさらに、解像度の前記合計が、前記規模を前記デコーダの前記最大のピクチャサイズと乗算することにより得られる積以下であるかどうかに少なくとも一部基づく、請求項13に記載の装置。
【請求項１５】
前記少なくとも1つのプロセッサがさらに、
前記ビットストリームの最上位レイヤの解像度を決定し、
前記ビットストリームの識別子リスト中のレイヤの数を決定し、
前記識別子リスト中のレイヤの前記数を前記最上位レイヤの前記解像度と乗算することを介して、解像度の前記合計を計算するように構成される、請求項13に記載の装置。
【請求項１６】
前記少なくとも1つのプロセッサがさらに、前記ビットストリーム中のレイヤの数を決定することを介して、前記ビットストリームのレベル定義を決定するように構成される、請求項12に記載の装置。
【請求項１７】
前記少なくとも1つのプロセッサがさらに、前記ビットストリームの前記レベル定義に少なくとも一部基づいて、前記ビットストリームの最大のピクチャサイズを決定するように構成される、請求項16に記載の装置。
【請求項１８】
前記デコーダが前記ビットストリームを復号することが可能かどうかを前記決定するステップがさらに、前記ビットストリームの前記最大のピクチャサイズに少なくとも一部基づく、請求項17に記載の装置。
【請求項１９】
前記少なくとも1つのプロセッサがさらに、
前記ビットストリーム中のレイヤの前記数を前記ビットストリームの前記最大のピクチャサイズと乗算することにより得られる第1の積が、前記規模を前期デコーダの前記最大のピクチャサイズと乗算することにより得られる第2の積以下であるかどうかを決定し、
前記第1の積が前記第2の積以下であるかどうかに少なくとも一部基づいて、前記デコーダが前記ビットストリームを復号することが可能かどうかを決定するように構成される、請求項18に記載の装置。
【請求項２０】
前記少なくとも1つのプロセッサがさらに、各レイヤ、復号ピクチャバッファ(DPB)、またはサブDPBの少なくとも1つに対する、サイズに関連する制約を指定するように構成される、請求項12に記載の装置。
【請求項２１】
実行されると、デバイスのプロセッサに、
複数のシングルレイヤデコーダコアに基づいて実装されるデコーダがマルチレイヤビットストリームを復号することが可能かどうかを決定する際に使用するための、レイヤの少なくとも1つのセットへのビデオ情報を含む前記マルチレイヤビットストリームのレイヤの少なくとも1つの割振りを特定させ、
レイヤの各セットが前記ビットストリームの前記復号のために前記デコーダコアの1つに排他的に割り当てられることが可能かどうかを検出させ、
前記デコーダのレベル定義に少なくとも一部基づいて、前記デコーダの最大ピクチャサイズを決定させ、
(i)レイヤの各セットが前記デコーダコアの1つに排他的に割り当てられることが可能かどうか、および(ii)前記決定された最大ピクチャサイズにに少なくとも一部基づいて、前記デコーダが前記ビットストリームを復号することが可能かどうかを決定させる
命令を記憶した、非一時的コンピュータ可読記憶媒体。
【請求項２２】
実行されると、前記プロセッサに、
前記レベル定義と関連付けられる規模を指定させる
命令をさらに記憶し、前記デコーダが前記ビットストリームを復号することが可能かどうかを決定するステップがさらに前記規模に少なくとも一部基づく、請求項21に記載の非一時的コンピュータ可読記憶媒体。
【請求項２３】
実行されると、前期プロセッサに、前記ビットストリーム中のレイヤの解像度の合計を計算させる命令をさらに記憶しており、前記デコーダが前記ビットストリームを復号することが可能かどうかを前記決定するステップがさらに、解像度の前記計算された合計に少なくとも一部基づく、請求項22に記載の非一時的コンピュータ可読記憶媒体。
【請求項２４】
前記デコーダが前記ビットストリームを復号することが可能かどうかを前記決定するステップがさらに、解像度の前記合計が、前記規模を前記デコーダの前記最大のピクチャサイズと乗算することにより得られる積以下であるかどうかに少なくとも一部基づく、請求項23に記載の非一時的コンピュータ可読記憶媒体。
【請求項２５】
実行されると、前記プロセッサに、
前記ビットストリームの最上位レイヤの解像度を決定させ、
前記ビットストリームの識別子リスト中のレイヤの数を決定させ、
前記識別子リスト中のレイヤの前記数を前記最上位レイヤの前記解像度と乗算することを介して、解像度の前記合計を計算させる
命令をさらに記憶した、請求項23に記載の非一時的コンピュータ可読記憶媒体。
【請求項２６】
デコーダがビデオ情報を含むマルチレイヤビットストリームを復号することが可能かどうかを決定するように構成されるビデオコーディングデバイスであって、前記デコーダが複数のシングルレイヤデコーダコアに基づいて実装され、
レイヤの少なくとも1つのセットへの前記ビットストリームのレイヤの少なくとも1つの割振りを特定するための手段と、
レイヤの各セットが前記ビットストリームの前記復号のために前記デコーダコアの1つに排他的に割り当てられることが可能かどうかを検出するための手段と、
前記デコーダのレベル定義に少なくとも一部基づいて、前記デコーダの最大ピクチャサイズを決定するための手段と、
(i)レイヤの各セットが前記デコーダコアの1つに排他的に割り当てられることが可能かどうか、および(ii)前記決定された最大ピクチャサイズに少なくとも一部基づいて、前記デコーダが前記ビットストリームを
復号することが可能かどうかを決定するための手段とを備える、ビデオコーディングデバイス。
【請求項２７】
前記レベル定義と関連付けられる規模を指定するための手段であって、前記デコーダが前記ビットストリームを復号することが可能かどうかを決定するステップがさらに前記規模に少なくとも一部基づく、手段をさらに備える、請求項26に記載のビデオコーディングデバイス。
【請求項２８】
前記ビットストリーム中のレイヤの解像度の合計を計算するための手段をさらに備え、前記デコーダが前記ビットストリームを復号することが可能かどうかを決定するための前記手段が、解像度の前記計算された合計を考慮する、請求項27に記載のビデオコーディングデバイス。
【請求項２９】
前記デコーダが前記ビットストリームを復号することが可能かどうかを決定するための前記手段が、解像度の前記合計が、前記規模を前記デコーダの前記最大のピクチャサイズと乗算することにより得られる積以下であるかどうかを決定するための手段を備える、請求項28に記載のビデオコーディングデバイス。
【請求項３０】
前記ビットストリームの最上位レイヤの解像度を決定するための手段と、
前記ビットストリームの識別子リスト中のレイヤの数を決定するための手段と、
前記識別子リスト中のレイヤの前記数を前記最上位レイヤの前記解像度と乗算することを介して、解像度の前記合計を計算するための手段とをさらに備える、請求項28に記載のビデオコーディングデバイス。